(57)【要約】【課題】  Ｐ２Ｐ型の情報交換ネットワークシステムにおいて、自端末が中断中でも自分の情報を発信できるようにする。【解決手段】  映像流通ネットワークシステムは放送ランデブー装置１1，１2と、ピア２1，２2，２3で構成され、これらネットワーク７で互いに接続されている。各ピア２1，２2，２3はＰ２Ｐ放送装置３とＰ２Ｐ放送ＴＶ装置４と中断中代理装置５と意味情報スイッチ６から構成されている。中断中代理装置５は、任意の他のピア中断中に該ピアの代理となって情報を発信する。【選択図】    図１
2005130405.tif 000002
【特許請求の範囲】
【請求項１】
複数の端末がネットワークを介して互いに接続され、各端末は意味情報スイッチにより意味情報ネットワークを構成し、各端末が情報発信装置と情報受信装置を持つＰ２Ｐ型の情報交換ネットワークにおいて、各端末内に設けられて、任意の他の端末が中断中に該端末の代理となって情報発信する中断中代理装置であって、
ユーザから、代理可能な端末の探索を指示する代理探索指示を受けると、代理探索指示信号を出力し、ユーザから当該端末の発信を中断する旨の中断指示を受けると、代理開始信号を出力し、ユーザから当該端末の発信を再開させる再開指示を受けると、再開信号を出力する入出力手段と、
該入出力手段からの前記代理探索指示信号を受けて、代理可能な端末を探索する、代理可否パラメータとイベントＩＤからなる代理探索イベント信号を前記意味情報スイッチに送信し、該意味情報スイッチからのイベントＩＤと端末アドレスを含む端末情報からなる代理探索応答センドバック信号を受けて、該端末情報からなる代理候補端末情報信号を出力するイベント送信制御手段と、
該中断中代理装置の起動時に、前記意味情報スイッチに、代理可否パラメータに代理可を設定した代理フィルタ信号を送信し、前記意味情報スイッチからのイベントＩＤからなる代理探索イベント信号を受けてイベントＩＤと端末アドレスを含む端末情報からなる代理探索応答センドバック信号を前記意味情報スイッチに送信するイベント受信制御手段と、
前記イベント送信制御手段からの端末情報からなる代理候補端末情報信号を受けて代理候補端末情報を格納し、前記入出力手段からの代理開始信号を受けて当該端末の情報発信装置に、全映像情報の収集を依頼する、フィルタ番号を特定の記号で指定したフィルタ情報収集信号を送信し、前記情報発信装置からの映像情報とフィルタ番号からなるフィルタ情報収集応答を受信し、該映像情報を格納し、映像ファイル名からなり、映像ファイルの回収を依頼するデリバリファイル取出信号を前記情報発信装置に送信し、前記情報発信装置からの映像ファイル名と映像ファイルからなるデリバリファイル取出応答信号を受信し、すでに格納している代理候補端末情報から代理候補の端末をあらかじめ設定しておいたロジックにより順次選択し、優先度の高い代理候補端末から順次、前記映像情報と映像ファイルからなり、代理開始を指示する代理開始指示信号を代理端末の候補に送信し、前記代理開始信号の正常応答を得、代理端末が決まった後、前記情報発信装置に、映像情報の削除を依頼する、映像情報からなり、代理開始を指示するフィルタ情報削除信号を送信し、自端末が代理端末となる場合に別端末から映像情報と映像ファイルからなる代理開始指示信号を受け取ると、前記情報発信装置に映像情報と映像ファイルからなり、これらの登録を依頼するデリバリファイル情報登録を送信し、前記入出力手段からの再開信号を受けて格納している映像情報をもって前記情報発信装置に映像情報からなるデリバリファイル情報信号を送信し、格納している代理端末情報を元に代理している端末に映像情報からなり、代理終了を指示する代理終了指示信号を送信し、すでに自端末が代理端末となっていた場合に別の端末からくる映像情報からなり、代理終了を指示する代理終了指示信号を受けて前記情報発信装置に映像情報からなり、映像ファイルの削除を依頼するデリバリファイル削除信号を送信するＰ２Ｐ放送代理制御手段を有する中断中代理装置。
【請求項２】
複数の端末がネットワークを介して互いに接続され、各端末は意味情報スイッチにより意味情報ネットワークを構成し、各端末が情報発信装置と情報受信装置を持つＰ２Ｐ型の情報交換ネットワークにおいて、任意の他の端末が中断中に該端末の代理となって情報発信する方法であって、
ユーザから、代理可能な端末の探索を指示する代理探索指示を受け取ると、代理可能な端末を探索すべく、代理可否パラメータとイベントＩＤからなる代理探索イベント信号を意味情報スイッチに送信し、該意味情報スイッチからイベントＩＤと端末アドレスを含む端末情報からなる代理探索応答センドバック信号を受けると、該端末情報を代理候補として保存する代理探索段階と、
ユーザから、当該端末の発信を中断する旨の中断指示を受け取ると、当該端末情報発信装置に、全映像情報の収集を依頼する、フィルタ番号を特定の記号で指定したフィルタ情報収集信号を送信し、前記情報発信装置からの映像情報とフィルタ番号からなるフィルタ情報収集応答を受信し、該映像情報を格納し、映像ファイルの回収を依頼する、映像ファイル名からなるデリバリファイル取出信号を前記情報発信装置に送信し、前記情報発信装置からの映像ファイル名と映像ファイルからなるデリバリファイル取出応答信号を受信し、すでに格納している代理候補端末情報から代理候補の端末をあらかじめ設定しておいたロジックにより順次選択し、優先度の高い代理候補端末から順次、前記映像情報と映像ファイルからなる代理開始指示信号を代理候補の端末に送信し、前記代理開始信号の正常応答を得、代理端末が決まった後、前記情報発信装置に映像情報からなり、映像情報の削除を依頼するフィルタ情報削除信号を送信し、自端末が代理端末となる場合に別端末から映像情報と映像ファイルからなる代理開始指示信号を受け取ると、前記情報発信装置に該映像情報と該映像ファイルからなり、これらの登録を依頼するデリバリファイル情報登録信号を送信する中断中代理開始段階と、
ユーザから当該端末の発信を再開させる再開指示を受け取ると、格納している映像情報をもって前記情報発信装置に映像情報からなるデリバリファイル情報信号を送信し、格納している代理端末情報を元に代理している端末に映像情報からなり、代理終了を指示する代理終了指示信号を送信し、すでに自端末が代理端末となっていた場合に別の端末からくる映像情報からなり、代理終了を指示する代理終了指示信号を受けて前記情報発信装置に映像情報からなり、映像ファイルの削除を依頼するデリバリファイル削除信号を送信する中断中代理終了段階を有する情報発信方法。
【請求項３】
ネットワークを介して互いに接続された複数の端末からなり、
各端末は情報発信装置と、情報受信装置と、意味情報スイッチと、任意の他の端末が中断中に該端末の代理となって情報発信する中断中代理装置とを含み、
前記中断中代理装置は、
複数の端末がネットワークを介して互いに接続され、各端末は意味情報スイッチにより意味情報ネットワークを構成し、各端末が情報発信装置と情報受信装置を持つＰ２Ｐ型の情報交換ネットワークにおいて、各端末内に設けられて、任意の他の端末が中断中に該端末の代理となって情報発信する中断中代理装置であって、
ユーザから、代理可能な端末の探索を指示する代理探索指示を受けると、代理探索指示信号を出力し、ユーザから当該端末の発信を中断する旨の中断指示を受けると、代理開始信号を出力し、ユーザから当該端末の発信を再開させる再開指示を受けると、再開信号を出力する入出力手段と、
該入出力手段からの前記代理探索指示信号を受けて、代理可能な端末を探索する、代理可否パラメータとイベントＩＤからなる代理探索イベント信号を前記意味情報スイッチに送信し、該意味情報スイッチからのイベントＩＤと端末アドレスを含む端末情報からなる代理探索応答センドバック信号を受けて、該端末情報からなる代理候補端末情報信号を出力するイベント送信制御手段と、
該中断中代理装置の起動時に、前記意味情報スイッチに、代理可否パラメータに代理可を設定した代理フィルタ信号を送信し、前記意味情報スイッチからのイベントＩＤからなる代理探索イベント信号を受けてイベントＩＤと端末アドレスを含む端末情報からなる代理探索応答センドバック信号を前記意味情報スイッチに送信するイベント受信制御手段と、
前記イベント送信制御手段からの端末情報からなる代理候補端末情報信号を受けて代理候補端末情報を格納し、前記入出力手段からの代理開始信号を受けて当該端末の情報発信装置に、全映像情報の収集を依頼する、フィルタ番号を特定の記号で指定したフィルタ情報収集信号を送信し、前記情報発信装置からの映像情報とフィルタ番号からなるフィルタ情報収集応答を受信し、該映像情報を格納し、映像ファイル名からなり、映像ファイルの回収を依頼するデリバリファイル取出信号を前記情報発信装置に送信し、前記情報発信装置からの映像ファイル名と映像ファイルからなるデリバリファイル取出応答信号を受信し、すでに格納している代理候補端末情報から代理候補の端末をあらかじめ設定しておいたロジックにより順次選択し、優先度の高い代理候補端末から順次、前記映像情報と映像ファイルからなり、代理開始を指示する代理開始指示信号を代理端末の候補に送信し、前記代理開始信号の正常応答を得、代理端末が決まった後、前記情報発信装置に、映像情報の削除を依頼する、映像情報からなり、代理開始を指示するフィルタ情報削除信号を送信し、自端末が代理端末となる場合に別端末から映像情報と映像ファイルからなる代理開始指示信号を受け取ると、前記情報発信装置に映像情報と映像ファイルからなり、これらの登録を依頼するデリバリファイル情報登録を送信し、前記入出力手段からの再開信号を受けて格納している映像情報をもって前記情報発信装置に映像情報からなるデリバリファイル情報信号を送信し、格納している代理端末情報を元に代理している端末に映像情報からなり、代理終了を指示する代理終了指示信号を送信し、すでに自端末が代理端末となっていた場合に別の端末からくる映像情報からなり、代理終了を指示する代理終了指示信号を受けて前記情報発信装置に映像情報からなり、映像ファイルの削除を依頼するデリバリファイル削除信号を送信するＰ２Ｐ放送代理制御手段を有する中断中代理装置。
【発明の詳細な説明】
【技術分野】
【０００１】
本発明は、多数の一般ユーザを対象としたＰ２Ｐ型の映像配信のような情報交換ネットワークシステムに関する。
【背景技術】
【０００２】
従来、この種の情報交換ネットワークシステムとして非特許文献１に記載されＰ２Ｐ型映像配信がある。
【非特許文献１】ＮＴＴ技術ジャーナル２００３．８「ＰｔｏＰ型高品質ライブ配信技術」
【発明の開示】
【発明が解決しようとする課題】
【０００３】
上述した従来のシステムは、端末同士がダイレクトにつながり、発信側のピア（端末）が稼働中の場合にのみ発信が可能であった。
【０００４】
本発明の目的は、自端末が中断中でも自分の情報を発信できる中断中代理装置、方法、および情報交換ネットワークシステムを提供することにある。
【課題を解決するための手段】
【０００５】
本発明は、複数の端末がネットワークを介して互いに接続され、各端末は意味情報スイッチにより意味情報ネットワークを構成し、各端末が情報発信装置と情報受信装置を持つＰ２Ｐ型の情報交換ネットワークにおいて、各端末内に、任意の他の端末が中断中に該端末の代理となって情報発信する中断中代理装置を設けたものである。
【０００６】
この中断中代理装置は入出力手段とイベント送信制御手段とイベント受信制御手段とＰ２Ｐ放送代理制御手段を有している。
【０００７】
入出力手段はユーザから、代理可能な端末の探索を指示する代理探索指示を受け取ると、代理探索指示信号を出力し、ユーザから当該端末の発信を中断する旨の中断指示を受けると、代理開始信号を出力し、ユーザから当該端末の発信を再開させる再開指示を受けると、再開信号を出力する。
【０００８】
イベント送信制御手段は該入出力手段からの代理探索指示信号を受けて、代理可能な端末を探索する、代理可否パラメータとイベントＩＤからなる代理探索イベント信号を意味情報スイッチに送信し、意味情報スイッチからのイベントＩＤとピアアドレスを含むピア情報からなる代理探索応答センドバック信号を受けて、該ピア情報からなる代理候補ピア情報信号を出力する。
【０００９】
イベント受信制御手段は中断中代理装置の起動時に、意味情報スイッチに、代理可否パラメータに代理可を設定した代理フィルタ信号を送信し、意味情報スイッチからのイベントＩＤからなる代理探索イベント信号を受けてイベントＩＤとピアアドレスを含む端末情報からなる代理探索応答センドバック信号を意味情報スイッチに送信する。
【００１０】
Ｐ２Ｐ放送代理制御手段はイベント送信制御手段からの端末情報からなる代理候補端末情報信号を受けて代理候補端末情報を格納し、前記入出力手段からの代理開始信号を受けて当該端末の情報発信装置に、全映像情報の収集を依頼するフィルタ番号を特定の記号で指定したフィルタ情報収集信号を送信し、情報発信装置からの映像情報とフィルタ番号からなるフィルタ情報収集応答を受信し、映像情報を格納し、映像ファイル名からなり、映像ファイルの回収を依頼するデリバリファイル取出信号を情報発信装置に送信し、情報発信装置からの映像ファイル名と映像ファイルからなるデリバリファイル取出応答信号を受信し、すでに格納している代理候補端末情報から代理候補の端末をあらかじめ設定しておいたロジックにより順次選択し、優先度の高い代理候補端末から順次、前記映像情報と映像ファイルからなり、代理開始を指示する代理開始指示信号を代理端末の候補に送信し、前記代理開始信号の正常応答を得、代理端末が決まった後、情報発信装置に、映像情報の削除を指示する、映像情報からなるフィルタ情報削除信号を送信し、自端末が代理端末となる場合に別端末から映像情報と映像ファイルからなり、代理開始を指示する代理開始指示信号を受け取ると、情報発信装置に映像情報と映像ファイルからなり、これらの登録を依頼するデリバリファイル情報登録信号を送信し、入出力手段からの再開信号を受けて格納している映像情報をもって情報発信装置に映像情報からなるデリバリファイル情報信号を送信し、格納している代理端末情報を元に代理している端末に映像情報からなり、代理終了を指示する代理終了指示信号を送信し、すでに自端末が代理端末となっていた場合に別の端末からくる映像情報からなり、代理終了を指示する代理終了指示信号を受けて情報発信装置に映像情報からなり、映像ファイルの削除を指示するデリバリファイル削除信号を送信する。
【００１１】
本発明の利用例としては以下のケースが考えられる。
●映像流通サービス提供者
映像を視聴するユーザによる不正利用を排除し、ＦＷの内側／外側に関わらず映像交換可能な放送ランデブー装置を運営することにより、映像流通サービス利用者からの利用料金をいただける。
●中断中代理サービス提供者
映像を発信するユーザ端末が中断中に映像発信を代理することにより映像流通サービス利用者から利用料金をいただける。
●映像流通サービス利用者
・映像を発信するケース
映像コンテンツを所望の方にタイムリーに、視聴者に不正利用されずに、ＦＷの内側からでも利用してもらいたい。
【００１２】
自端末が中断中でも自分のコンテンツを発信したい。
【００１３】
・映像を視聴するケース
自分のみたい映像をタイムリーに見たい。
●想定するビジネスシーン
特に、映像発信者で発信映像の種類から所望の映像を視聴者に提供できることによる効果的な広告発信、かつ、自端末内の映像データをタイムリーに変更できることからタイムサービスのように刻々と変化する広告発信による効果的な広告効果を提供でき、映像発信者からの支払いを期待できる。
【００１４】
また、映像クリエータの卵たちが自らの映像を発信し、適切なアドバイザからの指導を得る映像コンサルティングモデルや、自作の映像コンテンツを売り込むモデルが可能となり、かつ、映像自身は映像クリエータ自身の端末にのみ存在し、不正利用をされないため安心して利用できるようになる。このような映像クリエータのセミプロ支援ビジネスモデルが本発明により可能となる。
【発明の効果】
【００１５】
本発明によれば、情報を発信するユーザ端末が中断中に情報発信を代理することにより、自端末が中断中でも自分の情報を発信できる。
【発明を実施するための最良の形態】
【００１６】
次に、本発明の実施の形態について図面を参照して説明する。
【００１７】
図１は本発明の一実施形態の中断中代理ネットワークシステムである映像流通ネットワークシステムの構成図である。
【００１８】
本映像流通ネットワークシステムは放送ランデブー装置１1，１2と、ピア２1，２2，２3で構成され、これらはネットワーク７で互いに接続されている。なお、放送ランデブー装置、ピアの数はそれぞれ２台、３台に限定されず、任意の複数台あればよい。
【００１９】
各ピア２1，２2，２3はＰ２Ｐ放送装置３とＰ２Ｐ放送ＴＶ装置４と中断中代理装置５と意味情報スイッチ６から構成されている。
【００２０】
放送ランデブー装置１1，１2は、図２に示すように、一般の映像ファイルストレージ１１とストリームサブ１２からなる。
【００２１】
Ｐ２Ｐ放送装置３は、図３および図４に示すように、入出力部３１とイベント受信制御部３２と映像ファイル格納部３３と映像情報格納部３４と放送ランデブー登録部３５とから構成されている。
【００２２】
入出力部３１は映像登録フェーズではデリバリファイル情報（映像情報と映像ファイル）を入力し、映像ファイルを映像ファイル格納部３３に格納し、映像情報をデリバリファイル情報信号にのせてイベント受信制御部３２に出力する。イベント受信制御部３２は映像登録フェーズではデリバリファイル情報信号を受けてその映像情報をフィルタ設定信号として意味情報スイッチ６に送信し、意味情報スイッチ６に映像情報を意味情報ネットワークのフィルタとして設定し、意味情報スイッチ６から、設定されたフィルタに対して付与されたフィルタ番号を含むフィルタ設定応答信号を受信すると、対応する映像情報とフィルタ番号の対を映像情報格納部３４に格納する。また、イベント受信制御部３２はＰ２Ｐ映像ＴＶ視聴フェーズでは、意味情報スイッチ６から映像情報、フィルタ番号、イベントＩＤからなるイベント通知信号が通知され、そのフィルタ番号をキーにして映像情報格納部３４から要望された映像の映像情報を取り出し、取り出した映像情報の中の映像ファイル名を元に映像ファイル格納部３３に映像ファイル収集信号を出力し、放送ランデブー登録部３５から、映像ファイル名と放送ランデブー装置ＵＲＬを含む登録終了信号を入力すると、意味情報スイッチ６にイベントＩＤと映像情報と放送ランデブー装置ＵＲＬを含む放送開始センドバックを送信する。放送ランデブー登録部３５は映像ファイル格納部３３から出力された当該映像ファイルを映像ファイル登録信号として放送ランデブー装置１に出力し、送信正常完了を確認すると、登録終了をイベント受信制御部３２に出力する。また、入出力部３１は中断中代理開始フェーズ時に中断中代理装置５からデリバリファイル削除信号を入力し、映像ファイル削除信号を映像ファイル格納部３３に、フィルタ情報削除信号をイベント受信制御部３２に出力する。映像ファイル格納部３３は、受信した映像ファイル削除信号を元に映像ファイル名で指定された映像ファイルを格納していた中から削除する。イベント受信制御部３２は、受け取った映像情報を元に映像情報格納部３４に映像情報収集を用いてフィルタ番号を問い合わせ、フィルタ情報収集応答にて得たフィルタ番号により意味情報スイッチ６にフィルタ削除信号を送ることによりフィルタを削除し、フィルタ削除を確認して、映像情報格納部３４に映像情報削除指示信号により映像情報の削除を指示する。
【００２３】
Ｐ２Ｐ放送ＴＶ装置４は、図５に示すように、入出力部４１とイベント送信制御部４２と映像受信制御部４３と映像ストリームプレーヤー４４で構成されている。
【００２４】
入出力部４１は映像情報（撮影者名、撮影日時、撮影場所、各種映像プロファイル）を入力し、これをデリバリファイル情報信号にのせてイベント送信制御部４２に出力する。イベント送信制御部４２は、設定された所望の映像情報を探すべく、意味情報スイッチ６にイベント信号を送信し、意味情報スイッチ６から当該イベントＩＤあての放送開始センドバック信号を受信すると、受信した映像情報を受信開始通知信号で映像受信制御部４３に送る。映像受信制御部４３では受信開始信号により、受信した放送ランデブー装置ＵＲＬと映像情報にある映像ファイル名を映像ストリームプレーヤー４４に通知し、放送ランデブー装置１からのストリーム配信を受信視聴する。
【００２５】
中断中代理装置５は、図６に示すように、入出力部５１とイベント送信制御部５２とイベント受信制御部５３とＰ２Ｐ放送代理制御部５４で構成されている。
【００２６】
入出力部５１は、ユーザから、代理可能なピアの探索を指示する代理探索指示を受けて、イベント送信制御部５２に代理探索指示信号を出力し、ユーザから、当該ピアの発信を中断する旨の中断指示を受けてＰ２Ｐ放送代理制御部５４へ代理開始信号を出力し、ユーザからの、当該ピアの発信を再開させる再開指示を受けてＰ２Ｐ放送代理制御部５４へ再開信号を出力する。
【００２７】
イベント送信制御部５２は、入出力部５１からの代理探索指示信号を受けて、意味情報スイッチ６に、イベント意味情報部に代理可否パラメータ、イベントデータ部に代理可能なピアを探索するイベントＩＤを設定した代理探索イベント信号を送信し、意味情報スイッチ６からのイベントＩＤとピアアドレスを含むピア情報からなる代理探索応答センドバック信号を受けて、Ｐ２Ｐ放送代理制御部５４にピア情報からなる代理候補ピア情報信号を送信する。
【００２８】
イベント受信制御部５３は、中断中代理装置５の起動時に、意味情報スイッチ６に、代理可否パラメータに代理可を設定した代理フィルタ信号を送信し、意味情報スイッチ６からのイベント意味情報部に代理可否パラメータ、イベントデータ部イベントにＩＤを設定した代理探索イベント信号を受けてイベントＩＤとピアアドレスを含むピア情報からなる代理探索応答センドバック信号を意味情報スイッチ６に送信する。
【００２９】
Ｐ２Ｐ放送代理制御部５４は、イベント送信制御部５２からのピア情報からなる代理候補ピア情報信号を受けて代理候補ピア情報を格納し、入出力部５１からの代理開始信号を受けてＰ２Ｐ放送装置３に、全映像情報の収集を依頼する、フィルタ番号を“＊”で指定するフィルタ情報収集信号を送信し、Ｐ２Ｐ放送装置３からの映像情報とフィルタ番号からなるフィルタ情報収集応答を受信し、映像情報を格納し、映像ファイル名からなり、映像ファイルの回収を依頼するデリバリファイル取出信号をＰ２Ｐ放送装置３に送信し、Ｐ２Ｐ放送装置３からの映像ファイル名と映像ファイルからなるデリバリファイル取出応答信号を受信し、すでに格納している代理候補ピア情報から代理候補のピアをあらかじめ設定しておいたロジックにより順次選択し、優先度の高い代理候補ピアから順次、映像情報と映像ファイルからなる代理開始指示信号を送信し、Ｐ２Ｐ放送装置３に映像情報からなり、映像情報の削除を依頼するフィルタ情報削除信号を送信し、自ピアが代理ピアとなる場合に別ピアから映像情報と映像ファイルからなる代理開始指示信号を受け取ると、Ｐ２Ｐ放送装置３に映像情報と映像ファイルからなり、これらの登録を依頼するデリバリファイル情報登録を送信し、入出力部５１からの再開信号を受けて格納している映像情報をもってＰ２Ｐ放送装置３に映像情報からなるデリバリファイル情報信号を送信し、格納している代理ピア情報を元に代理しているピアに映像情報からなり、代理終了を指示する代理終了指示信号を送信し、すでに自ピアが代理ピアとなっていた場合に別のピアからくる映像情報からなる代理終了指示信号を受けてＰ２Ｐ放送装置３に映像情報からなり、映像ファイルの削除を依頼するデリバリファイル削除信号を送信する。
【００３０】
次に、本実施形態において、映像コンテンツ配信ユーザが映像ファイルを登録する映像登録フェーズと、映像視聴ユーザが所望の映像を映像コンテンツ配信ユーザから受信するＰ２Ｐ映像ＴＶ視聴フェーズを、各装置間の処理の流れをシーケンスで示す図１１と、Ｐ２Ｐ放送装置３の動作概要を示す図１３と図１６と、Ｐ２Ｐ放送ＴＶ装置４の動作を示す図１５を参照しながら説明する。
【００３１】
映像登録フェーズ（図１１、図１３）では、ピア２1において、映像コンテンツ配信ユーザが図１４に示すデリバリファイル情報登録画面を用いてユーザより登録される「撮影者名」、「撮影日時」、「撮影場所」、および各種「映像プロファイル」からなる映像情報と映像ファイルがＰ２Ｐ放送装置３の入出力部３１に入力される（ステップ１０１）。入出力部３１は、そのうち映像ファイルを映像ファイル格納部３３に格納し、映像情報をデリバリファイル情報信号にのせてイベント受信制御部３２に出力する。デリバリファイル情報信号は図７に示す構成で、ユーザより入力された「撮影者名」、「撮影日時」、「撮影場所」、および各種「映像プロファイル」より構成されている。ユーザから入力された情報は有効情報として設定され、設定されなかった情報は、無効情報として“＊”が設定されている。イベント受信制御部３２は、意味情報スイッチ６にフィルタ設定信号を出力し、その映像情報を意味情報スイッチ６に意味情報ネットワークの“フィルタ”として設定する（ステップ１０２）。意味情報スイッチ６は、設定されたフィルタに対してフィルタ番号を付与し、フィルタ設定応答信号としてイベント受信制御部３２に返信する（ステップ１０３）。それを受けて、イベント受信制御部３２は、対応する映像情報とフィルタ番号の対を映像情報格納部３４に格納する。意味情報スイッチ６に設定されたフィルタ情報は意味情報ネットワークにより意味情報によるルーチングテーブルが構成される。
【００３２】
Ｐ２Ｐ映像ＴＶ視聴フェーズ（図１１、図１５）では、ピア２2において、映像視聴ユーザが図１７に示す視聴映像条件設定画面を用いてＰ２Ｐ放送ＴＶ装置４の入出力部４１に「撮影者名」、「撮影日時」、「撮影場所」、および各種「映像プロファイル」からなる映像情報が入力される（ステップ２０１）。入力された映像情報はデリバリファイル情報信号にのせてイベント送信制御部４２に送られる。イベント送信制御部４２は、設定された所望の映像情報を探すべく、意味情報スイッチ６に図９に示すイベント信号を送信する（ステップ２０２）。イベント信号にはイベントＩＤが付与され、意味情報ネットワークでは、当該イベントＩＤあてのセンドバック信号を受信ピアからの応答として返送できる仕組みを持っている。
【００３３】
意味情報ネットワークを介して所望の映像をもつピア、本実施形態ではピア２1にイベントが到着したとする。意味情報スイッチ６から映像情報、フィルタ番号、イベントＩＤからなるイベント通知信号がＰ２Ｐ放送装置３のイベント受信制御部３２に通知されると（ステップ２０３）、そのフィルタ番号をキーに、映像情報格納部３４から要望された映像の映像情報をとる。入手した映像情報の中の映像ファイル名を元に映像ファイル格納部３３に映像ファイル収集信号を発信すると、映像ファイル格納部３３では放送ランデブー登録部３５を介して保存している当該映像ファイルを放送ランデブー装置１に送信する（ステップ２０４）。放送ランデブー登録部３５では、放送ランデブー装置１の送信正常完了を確認すると、イベント受信制御部３２にその旨を通知する。イベント受信制御部３２は、それをもって、意味情報ネットワークのセンドバック機構を利用して、イベントＩＤをキーにイベント送信元ピアに図１０の放送開始センドバック信号をもって放送開始を通知する（ステップ２０５）。
【００３４】
意味情報ネットワークのセンドバック機構を用いてピア２1から放送開始センドバック信号を受信したピア２2のＰ２Ｐ放送ＴＶ装置４のイベント送信制御部４２は、受信した映像情報を映像受信制御部４３におくる。映像受信制御部４３は受信した放送ランデブー装置ＵＲＬと映像情報にある映像ファイル名を映像ストリームプレーヤー４４に通知し、放送ランデブー装置１からのストリーム配信を受信視聴する（ステップ２０６、２０７）。
【００３５】
次に、映像コンテンツ配信ユーザが中断中に代理してくれる候補を探索する代理探索フェーズと、中断開始時に映像コンテンツを代理に委譲する中断中代理開始フェーズと、中断終了時に映像提供の再開と代理の終了および預けたコンテンツの削除を行う中断中代理終了フェーズを、各装置間の処理の流れをシーケンスで示す図１２と、代理探索フェーズにおける中断中代理装置５の動作概要を示す図１８と、中断中代理開始フェーズにおける中断中代理装置５の動作概要を示す図１９と、Ｐ２Ｐ放送装置３の動作概要を示す図２０と、中断中代理終了フェーズにおける中断中代理装置５の動作概要を示す図２１と、Ｐ２Ｐ放送装置３の動作概要を示す図２２を用いて説明する。
【００３６】
代理探索フェーズ（図１２、  図１８）では、中断中代理装置５の起動時にイベント受信制御部５３にあらかじめ設定されている代理可否データが“可”の場合、フィルタ信号により意味情報スイッチ６に代理できる旨のフィルタ設定を行う（ステップ３０６）。
【００３７】
ユーザは、映像を発信しようとする場合は、中断中代理装置５の入出力部５１に代理探索指示を入力する（ステップ３０１）。それを受けた入出力部５１は、その旨をイベント送信制御部５２に代理探索指示信号を用いて伝え、イベント送信制御部５２が意味情報ネットワークを使って代理可能なピアを探索すべく代理探索イベント信号を意味情報スイッチ６に送る（ステップ３０２）。
【００３８】
代理可能なピアにはあらかじめフィルタが設定されているので、中断中代理装置５のイベント受信制御部５３にはイベントＩＤが入った代理探索イベント信号が到着する（ステップ３０３）。ユーザ、もしくはシステム外の機能から代理可否データが書き換えられている可能性を考慮して再度代理可否データを確認し、“可”であった場合は代理探索イベント信号に入っていたイベントＩＤを用いて探索元に代理可能であることを伝える代理探索応答センドバック信号を送信する（ステップ３０４）。代理探索応答センドバック信号にはピアアドレスを含むピア情報を含める。この情報は探索元が複数の代理候補から実際に代理させるピアを選択する時にも利用される。ピアアドレスの他に、処理能力、空き記憶領域サイズ、ネットワーク接続回線速度、物理位置、ＦＷの内／外の識別、等が含まれる。
【００３９】
探索要求元のピアに代理探索応答センドバック信号が返送されると（ステップ３０５）、中断中代理装置５のイベント送信制御部５２に到着する。イベント送信制御部５２は、受け取った信号内のピア情報を代理候補ピア情報信号にのせてＰ２Ｐ放送代理制御部５４に送る。Ｐ２Ｐ放送代理制御部５４は、受け取った情報を代理候補として保存する。
【００４０】
中断中代理開始フェーズ（図１２、図１９、図２０）では、映像を発信するピアのユーザが端末の終了時等、当該ピアが発信を中断する旨を中断指示として中断中代理装置５の入出力部５１に入力する（ステップ４０１）。入出力部５１は、その旨を代理開始信号としてＰ２Ｐ放送代理制御部５４に通知する。Ｐ２Ｐ放送代理制御部５４は、まず、代理ピアに送る映像に関して回収する。まず、Ｐ２Ｐ放送装置３にフィルタ情報収集信号のフィルタ番号＝“＊”に設定して送る（ステップ４０２）。Ｐ２Ｐ放送装置３では、これを映像情報格納部３４にて受信する。フィルタ番号＝“＊”のフィルタ情報収集信号は全映像情報を指定していることを意味し、格納している全情報をフィルタ情報収集応答信号に乗せて中断中代理装置５に返送する（ステップ４０３）。映像情報格納部３４の中には映像情報とフィルタ番号の対がいくつか格納されている。中断中代理装置５では、映像情報とフィルタ番号からなるフィルタ情報収集応答信号をＰ２Ｐ放送代理制御部５４にて先に送信したフィルタ情報収集信号の応答として受けて、得た映像情報を保存する。得た映像情報の中にある映像ファイル名を利用してデリバリファイル取出信号でＰ２Ｐ放送装置３に映像ファイルの回収を依頼する（ステップ４０４）。Ｐ２Ｐ放送装置３では、これを映像ファイル格納部３３で受けて、指定された映像ファイル名の映像ファイルをデリバリファイル取出応答信号に乗せて返送する（ステップ４０５）。デリバリファイル取出応答信号を中断中代理装置５のＰ２Ｐ放送代理制御部５４が先に送信したデリバリファイル取出信号の応答として受信する。
【００４１】
Ｐ２Ｐ放送代理制御部５４は、あらかじめ設定されている代理ピア選択ロジックと先に保存した代理候補ピア情報を元に、代理候補ピアの優先度を設定し、優先度のより高い代理候補ピア宛から代理開始指示信号を送信し（ステップ４０６）、正常応答するものをもって代理ピアを一つ定め、この代理ピアのピア情報を代理ピア情報として保存する。代理開始指示信号には映像情報と映像ファイルが含まれる。
【００４２】
代理開始指示信号を受信した代理候補のピアではこれを中断中代理装置５のＰ２Ｐ放送代理制御部５４が受け取る。Ｐ２Ｐ放送代理制御部５４は再度代理可否データを確認し、“可”であった場合はＰ２Ｐ放送装置３に映像情報と映像ファイルからなるデリバリファイル情報登録信号を送信する（ステップ４０７）。デリバリファイル情報登録の後は映像登録フェーズにて説明したように動作する（ステップ４０８、４０９）。
【００４３】
Ｐ２Ｐ放送代理制御部５４は代理開始指示信号の正常応答を得、代理ピアが定まった後、Ｐ２Ｐ放送装置３に映像情報からなるフィルタ情報削除信号を送信する（ステップ４１０）。Ｐ２Ｐ放送装置３では、イベント受信制御部３２でフィルタ情報削除信号を受信し、映像情報格納部３４から受信した映像情報を元に映像情報収集を用いてフィルタ情報収集応答にてフィルタ番号を収集する。イベント受信制御部３２はそのフィルタ番号を用いて、意味情報スイッチ６にフィルタ削除信号を送信するとともに（ステップ４１１）、映像情報削除指示信号を発行して映像情報格納部３４に格納している映像情報とフィルタ番号の対を削除させる。
【００４４】
中断中代理終了フェーズ（図１２、図２１、図２２）では、中断中のピアを再開させるとき、ユーザが中断中代理装置５の入出力部５１に再開指示を入力する（ステップ５０１）。入出力部５１はそれをＰ２Ｐ放送代理制御部５４に再開信号で伝える。Ｐ２Ｐ放送代理制御部５４は保存している中断中の映像情報を元にＰ２Ｐ放送装置３に映像情報を含むデリバリファイル情報信号を発信する（ステップ５０２）。Ｐ２Ｐ放送装置３ではイベント受信制御部３２が映像登録フェーズにおいてＰ２Ｐ放送装置３の入出力部３１からデリバリファイル情報信号を受信した場合と同じく映像情報の格納やフィルタの設定を行う（ステップ５０６、５０７）。Ｐ２Ｐ放送代理制御部５４は、デリバリファイル情報信号によるＰ２Ｐ放送装置３への指示が正常応答したことを確認して、保存していた代理してくれていたピアの情報を元に代理ピアへ映像情報を含む代理終了指示信号を送信する（ステップ５０３）。
【００４５】
代理終了指示信号は代理をしていたピアの中断中代理装置５のＰ２Ｐ放送代理制御部５４が受けて、受け取った映像情報をのせてＰ２Ｐ放送装置３にデリバリファイル削除信号を送信する（ステップ５０４）。
【００４６】
Ｐ２Ｐ放送装置３では、デリバリファイル削除信号を入出力部３１が受けて、映像情報にある映像ファイル名を映像ファイル削除信号に乗せて映像ファイル格納部３３へ出力する。映像ファイル格納部３３は、受信した映像ファイル削除信号を元に映像ファイル名で指定された映像ファイルを格納していた中から削除する。入出力部３１は、映像ファイル削除信号の正常終了を受けてイベント受信制御部３２に映像情報を含むフィルタ情報削除信号を出力する。イベント受信制御部３２は、受け取った映像情報を元に映像情報格納部３４に映像情報収集を用いてフィルタ番号を問い合わせ、フィルタ情報収集応答にて得たフィルタ番号により意味情報スイッチ６にフィルタ削除信号を送る（ステップ５０５）ことによりフィルタを削除する。イベント受信制御部３２はフィルタ削除を確認して、映像情報格納部３４に映像情報削除指示信号により映像情報の削除を指示する。
【図面の簡単な説明】
【００４７】
【図１】本発明の一実施形態の映像流通ネットワークシステムの構成図である。
【図２】放送ランデブー装置の構成図である。
【図３】Ｐ２Ｐ放送装置のＰ２Ｐ映像ＴＶ視聴フェーズ動作時の構成図である。
【図４】Ｐ２Ｐ放送装置の中断中代理終了フェーズ動作時の構成図である。
【図５】Ｐ２Ｐ放送ＴＶ装置の構成図である。
【図６】中断中代理装置の構成図である。
【図７】デリバリファイル情報信号の構成図である。
【図８】フィルタ設定信号の構成図である。
【図９】イベント信号の構成図である。
【図１０】放送開始センドバック信号の構成図である。
【図１１】映像流通（映像登録フェーズ、Ｐ２Ｐ映像ＴＶ視聴フェーズ）のシーケンス図である。
【図１２】映像流通（代理探索フェーズ、中断中代理開始フェーズ、中断中代理終了フェーズ）のシーケンス図である。
【図１３】映像登録フェーズにおけるＰ２Ｐ放送装置の動作概要を示す図である。
【図１４】デリバリファイル情報登録画面を示す図である。
【図１５】Ｐ２Ｐ映像ＴＶ視聴フェーズにおけるＰ２Ｐ放送ＴＶ装置の動作概要を示す図である。
【図１６】Ｐ２Ｐ映像ＴＶ視聴フェーズにおけるＰ２Ｐ放送装置の動作概要を示す図である。
【図１７】視聴映像条件設定画面を示す図である。
【図１８】代理探索フェーズにおける中断中代理装置の動作概要を示す図である。
【図１９】中断中代理開始フェーズにおける中断中代理装置の動作概要を示す図である。
【図２０】中断中代理開始フェーズにおけるＰ２Ｐ放送装置の動作概要を示す図である。
【図２１】中断中代理終了フェーズにおける中断中代理装置の動作概要を示す図である。
【図２２】中断中代理終了フェーズにおけるＰ２Ｐ放送装置の動作概要を示す図である。
【符号の説明】
【００４８】
１1，１2    放送ランデブー装置
２1〜２3    ピア
３    Ｐ２Ｐ放送装置
４    Ｐ２Ｐ放送ＴＶ装置
５    中断中代理装置
６    意味情報スイッチ
７    意味情報ネットワーク
１１    映像ファイルストレージ
１２    ストリームサブ
３１    入出力部
３２    イベント受信制御部
３３    映像ファイル格納部
３４    映像情報格納部
３５    放送ランデブー登録部
４１    入出力部
４２    イベント送信制御部
４３    映像受信制御部
４４    映像ストリームプレーヤー
５１    入出力部
５２    イベント送信制御部
５３    イベント受信制御部
５４    Ｐ２Ｐ放送代理制御部
１０１〜１０２，２０１〜２０７，３０１〜３０６，４０１〜４１１，５０１〜５０７    ステップ
【図１】
2005130405.tif 000003
【図２】
2005130405.tif 000004
【図３】
2005130405.tif 000005
【図４】
2005130405.tif 000006
【図５】
2005130405.tif 000007
【図６】
2005130405.tif 000008
【図７】
2005130405.tif 000009
【図８】
2005130405.tif 000010
【図９】
2005130405.tif 000011
【図１０】
2005130405.tif 000012
【図１１】
2005130405.tif 000013
【図１２】
2005130405.tif 000014
【図１３】
2005130405.tif 000015
【図１４】
2005130405.tif 000016
【図１５】
2005130405.tif 000017
【図１６】
2005130405.tif 000018
【図１７】
2005130405.tif 000019
【図１８】
2005130405.tif 000020
【図１９】
2005130405.tif 000021
【図２０】
2005130405.tif 000022
【図２１】
2005130405.tif 000023
【図２２】
2005130405.tif 000024